(57)【特許請求の範囲】
【請求項１】
筐体内に電気電子機器を取付けるためのマウントアングルを備えた電気電子機器収納用箱であって、
前記マウントアングルの下側は、その先端部に形成された第２位置規制片を、下側のマウントアングル固定部である取付金具の上面に形成された複数の第２挿入孔の何れかに挿通することにより、その取付位置を筐体内で変更可能にマウントアングル固定部上に載置されるとともに、前記マウントアングルの下側は、このマウントアングル固定部の筐体内面側の側面に設けた引き寄せ部材により、マウントアングル固定部側に引き寄せられて固定され、
また前記マウントアングルの上側は、その先端部に形成された第１位置規制片を、上側の奥行フレームに固定された上側のマウントアングル固定部である取付金具の溝部に挿入して固定されたことを特徴とする電気電子機器収納用箱。
【請求項２】
前記マウントアングルは、前記引き寄せ部材によりその荷重方向に引き寄せられて固定されたことを特徴とする請求項１記載の電気電子機器収納用箱。
【請求項３】
前記マウントアングルの先端部が、前記マウントアングル固定部の複数個所に当接することを特徴とする請求項２記載の電気電子機器収納用箱。
【請求項４】
前記引き寄せ部材は、前記マウントアングルに形成された引っ掛け部と、前記マウントアングル固定部とに、着脱自在に引っ掛けられることを特徴とする請求項１乃至３の何れかに記載の電気電子機器収納用箱。
【発明の詳細な説明】
【技術分野】
【０００１】
本発明は、内部に電気電子機器を収納した電気電子機器収納用箱に関するものである。
【背景技術】
【０００２】
電気電子機器収納用箱の内部には、奥行フレームに固定されたマウントアングルを介して電気電子機器が収納されている。
【０００３】
ここで、奥行フレームには、マウントアングルの取付位置を筐体の前後方向に変更可能とする複数のねじ孔が形成されており、これにより電気電子機器のサイズ変更に対応できるものとしている（特許文献１）。しかしながら、前記構造においてマウントアングルの取付位置を変更する際には、ドライバ等の工具を用いてねじを取外し、さらに変更後の位置でねじを取付ける作業が必要となり、作業性が悪いという問題があった。
【先行技術文献】
【特許文献】
【０００４】
【特許文献１】特開２００１−３４５５８２号公報
【発明の概要】
【発明が解決しようとする課題】
【０００５】
本発明の目的は前記した従来の問題点を解決し、マウントアングルの取付け、取外し作業を容易に行うことができる電気電子機器収納用箱を提供することである。
【課題を解決するための手段】
【０００６】
上記課題を解決するためになされた本発明は、筐体内に電気電子機器を取付けるためのマウントアングルを備えた電気電子機器収納用箱であって、前記マウントアングルの下側は、その先端部に形成された第２位置規制片を、下側のマウントアングル固定部である取付金具の上面に形成された複数の第２挿入孔の何れかに挿通することにより、その取付位置を筐体内で変更可能にマウントアングル固定部上に載置されるとともに、前記マウントアングルの下側は、このマウントアングル固定部の筐体内面側の側面に設けた引き寄せ部材により、マウントアングル固定部側に引き寄せられて固定され、また前記マウントアングルの上側は、その先端部に形成された第１位置規制片を、上側の奥行フレームに固定された上側のマウントアングル固定部である取付金具の溝部に挿入して固定されたことを特徴とするものである。
【０００７】
請求項２記載の発明は、請求項１記載の電気電子機器収納用箱において、前記マウントアングルは、前記引き寄せ部材によりその荷重方向に引き寄せられて固定されたことを特徴とするものである。
【０００８】
請求項３記載の発明は、請求項２記載の電気電子機器収納用箱において、前記マウントアングルの先端部が、前記マウントアングル固定部の複数個所に当接することを特徴とするものである。
【０００９】
請求項４記載の発明は、請求項１乃至３の何れかに記載の電気電子機器収納用箱において、前記引き寄せ部材は、前記マウントアングルに形成された引っ掛け部と、前記マウントアングル固定部とに、着脱自在に引っ掛けられることを特徴とするものである。
【発明の効果】
【００１０】
本発明に係る電気電子機器収納用箱は、マウントアングルを、その取付位置を筐体内で変更可能にマウントアングル固定部上に載置するとともに、このマウントアングル固定部に設けた引き寄せ部材により、マウントアングル固定部側に引き寄せられて固定されるものとしている。このように、引き寄せ部材によってマウントアングルの下部をマウントアングル固定部側に引き寄せて、両者を固定するとともに、マウントアングルの上側は、その先端部に形成された第１位置規制片を、上側の奥行フレームに固定された上側のマウントアングル固定部である取付金具の溝部に挿入して固定した構造とすることにより、ツールレスで容易にマウントアングルの取付け、取外し作業を行うことができ、作業性が高いものとなる。
【００１１】
請求項２に係る発明のように、引き寄せ部材によりマウントアングルをその荷重方向に引き寄せて固定するものとすれば、マウントアングルがマウントアングル固定部に対して上下方向に位置規制されることとなり、抜け止めの効果を奏するものとなる。
【００１２】
請求項３に係る発明のように、マウントアングルの先端部がマウントアングル固定部の複数個所に当接するものとすれば、マウントアングルがマウントアングル固定部に対して前後、左右方向に位置規制されるため、捩れ方向への荷重に強くなる。
【００１３】
請求項４に係る発明のように、引き寄せ部材は、マウントアングルに形成された引っ掛け部と、マウントアングル固定部とに、着脱自在に引っ掛けられるものとすれば、マウントアングルの移動に合わせて容易に引っ掛け部材を移動させることができる。
【図面の簡単な説明】
【００１４】
【図１】実施形態１の全体斜視図である。
【図２】マウントアングルの下側を示す拡大図である。
【図３】図２の分解斜視図である。
【図４】図３を別角度からみた分解斜視図である。
【図５】図２の断面図である。
【図６】マウントアングルの上側を示す拡大図である。
【図７】図６の分解斜視図である。
【図８】図６の断面図である。
【図９】実施形態２を示す拡大図である。
【図１０】図９の分解図である。
【図１１】その他の実施形態を示す斜視図である。
【図１２】取付位置表示部のその他の形態を示す斜視図である。
【図１３】取付位置表示部のその他の形態を示す斜視図である。
【発明を実施するための形態】
【００１５】
以下に本発明の好ましい実施形態を示す。
（実施形態１）
図１において、電気電子機器収納用箱は、縦フレーム２と横フレーム３と奥行フレーム４とを枠状に組み合わせて、天井板２３、扉２４、側板２５、及び背面板２６を取付けた筐体１により構成されており、その内部には図示しない電気電子機器が収納される。また電気電子機器は、縦フレーム２と同一方向、即ち上下方向に延びるマウントアングル５に取付けられる。このマウントアングル５の上下端部は、図２に示すように、筐体１の上下に設けられたマウントアングル固定部としての取付金具６にそれぞれ固定され、マウントアングル５が取付金具６上に載置されるものとしている。またこの取付金具６は上下の奥行フレーム４にそれぞれ取付けられている。なお、筐体１は、本実施形態のように各フレームを枠状に組み合わせて構成されるものに限定されず、その他にもフレームを有さないモノコック式の筐体であっても良い。斯かる場合、筐体の底部を構成する底板の奥行部に、取付金具６を取付けることができる。
【００１６】
先ず下側の取付金具６について説明する。
図３に示すように、取付金具６は垂直断面略コ字状であり、その上面には、前後方向に亘り等間隔の孔部として形成された複数の第１挿入孔７及び第２挿入孔８を備えている。また、取付金具６は上面の左右端部から下方に延設される立上片２８を有する。さらに立上片２８には、第１挿入孔７から下方に向かって徐々に幅狭となる溝部９が連通して形成されている。なお、立上片２８は取付金具６の上面の何れの端部から下方に延設されていてもよい。
【００１７】
また、マウントアングル５は筐体１内側に臨む側面の下端には、前後方向に並列配置された２つの第１位置規制片１０を有している。この第１位置規制片１０は、図３乃至図５に示すように、マウントアングル５の側面の一部をその内側方向に傾斜するよう折り曲げることで、マウントアングル５の側面から凹むように形成した板状のものである。そしてこの第１位置規制片１０の下端には、第１位置規制片１０よりも幅狭に形成した板状の補強片１２が、マウントアングル５の側面とつながるように一体に形成されている。
【００１８】
ここで、第１位置規制片１０の前後方向の幅は第１挿入孔７に挿通可能な幅とし、補強片１２の前後方向の幅は溝部９に挿通可能な幅としている。また、溝部９の上部と第１挿入孔７とが連通する連通部２７の幅は、第１位置規制片１０よりも幅狭に形成するものとしてあり、また取付金具６側面のうち連通部２７が形成された箇所には係止片６ａが突出して形成されている。
【００１９】
したがって、図５に示すように、取付金具６に形成された第１挿入孔７及び溝部９に、マウントアングル５に形成された第１位置規制片１０及び補強片１２を上方から挿入することで、第１位置規制片１０と連通部２７との距離が徐々に短くなり、マウントアングル５が取付金具６側に徐々に引き寄せられることとなる。そして、補強片１２が溝部９の最下端まで到達すると、第１位置規制片１０の筐体１内側に臨む面が、係止片６ａの内面と当接して仮固定されることとなる。なお、溝部９は上方が広く、かつ下方に向かって徐々に幅狭となるよう形成されているため、挿通された補強片１２を容易にガイドできるものとなる。また、図４のように、取付金具６に形成された第２挿入孔８には、マウントアングル５の下方端部から突出形成した第２位置規制片１１が挿入される。このように、取付金具６の前後方向に複数の第１挿入孔７及び第２挿入孔８を形成することで、マウントアングル５の取付位置を筐体１内で変更可能としている。
【００２０】
奥行フレーム４及び取付金具６の各側面には、それぞれ略同一サイズの爪係止孔１５が前後方向に亘り複数形成されている。この爪係止孔１５には、図２のように、マウントアングル５を取付金具６側、より詳細には、マウントアングル５をその荷重方向に引き寄せて固定するための引き寄せ部材１６が係止されて取付けられる。この引き寄せ部材１６は、図３のように、板状のベース部１７と、その下端に形成された爪部１８と、バネ１９とを備えており、この爪部１８が前記した爪係止孔１５に係止されて図５に示す状態となる。ここで、爪係止孔１５は、マウントアングル５の取付位置を前後方向に変更可能とするために、第１挿入孔７及び第２挿入孔８に対応して形成するものとしている。
【００２１】
図３のように、マウントアングル５の側面には、斜め上方に延びるよう形成した引っ掛け部２０が設けられている。そしてこの引っ掛け部２０に引き寄せ部材１６の上端を引っ掛けた上で、マウントアングル５を取付金具６側に引き寄せて固定することでマウントアングル５の側面と立上片２８とが密着するため、左右方向のマウントアングル５間の寸法を高い精度で確保することができる。また、引き寄せ部材１６が引っ掛け部２０と、取付金具６の爪係止孔１５及び奥行フレーム４の爪係止孔１５とに着脱自在に引っ掛けられるものとして、マウントアングル５の移動に合わせて容易に引っ掛け部材１６を移動させることができるものとしている。またマウントアングル５を取付金具６側に強く引き寄せることで、両者の固定が強固なものとなる。また、バネ１９により引っ掛け部材１６を構成することで、引き寄せ部材１６を伸縮させることができ、爪係止孔１５と引っ掛け部２０間の寸法公差を大きく取ることができると同時に、地震や輸送時に生じる振動等を引き寄せ部材１６が伸縮することで吸収し、引き寄せ部材１６の破損を防ぐことができる。
【００２２】
以上のように、取付金具６に形成された第１挿入孔７及び溝部９に、マウントアングル５に形成された第１位置規制片１０及び補強片１２を上方から挿入して仮固定した後に、引き寄せ部材１６によってマウントアングル５を取付金具６側に引き寄せて両者を強固に固定する構造とすることで、ツールレスで容易にマウントアングル５の取付け、取外し作業を行うことができ、作業性が高いものとなる。また、マウントアングル５をその荷重方向に引き寄せて固定するものとして、マウントアングル５が取付金具６に対して上下方向に位置規制されることとなり、地震や輸送時の振動等に対して強固に保持し、抜け止めの効果を奏するものとしている。
【００２３】
また、図５のように、マウントアングル５に形成した第１位置規制片１０及び第２位置規制片１１を、取付金具６に形成した第１挿入孔７及び第２挿入孔８に挿通して両者を固定することで、マウントアングル５の先端部が取付金具６の複数個所に当接するものとなる。これにより、マウントアングル５が取付金具６に対して前後、左右方向に位置規制されるため、捩じれ方向への荷重に強くなる。さらに、第１位置規制片１０及び第２位置規制片１１を各々複数形成して取付金具６に当接させるとともに、第２位置規制片１１が第１位置規制片１０よりも外側となる位置に形成されるものとすることで、マウントアングル５がその捩れ方向への荷重により強くなるという作用効果を奏するものとしている。
【００２４】
前記のように取付金具６をマウントアングル５が載置されるマウントアングル固定部として用いることにより、取付金具６と奥行フレーム４とを単純な形状とすることができ、容易かつ安価に製造することができる。また、本実施形態ではマウントアングル固定部は取付金具６により構成しているが、取付金具６を奥行フレーム４と一体に形成することでマウントアングル固定部を構成しても良い。
【００２５】
図３のように、取付金具６には前後方向に形状の異なる取付位置表示部２１を複数形成して、上下に配置された取付金具６間の位置合わせを行うものとし、マウントアングル５が誤って斜めに取付けられることを防止できるものとしている。
【００２６】
図６乃至図８には、上側の取付金具６の詳細構造を示す。
図２乃至図５を用いて説明した下側の取付金具６の構造と同様に、図６のように、奥行フレーム４には取付金具６が固定されており、さらに図７のように、取付金具６には前後方向に亘って第１挿入孔７が形成されている。また、第１挿入孔７には下方に向かって幅狭となる溝部９が連通して形成されている点も同様であるが、この溝部９は立上片２８が延設される方向と対向して下方向に形成されている点で下側の取付金具６と異なる。そして、図８のように、第１挿入孔７及び溝部９に第１位置規制片１０が挿入されると、マウントアングル５が取付金具６側に徐々に引き寄せられて、第１位置規制片１０の筐体１内側に臨む面が取付金具６の側面に形成された係止片６ａの内面と当接して仮固定された後、さらに図２乃至図６により説明した引き寄せ部材１６によって、マウントアングル５が下側の取付金具６側に引き寄せされて強固に固定されることとなる。なお、１２は補強片である。
【００２７】
（実施形態２）
図９及び図１０には実施形態２を示す。この実施形態は、引き寄せ部材１６をマウントアングル５の外側位置に配置して、マウントアングル５を取付金具６側、より詳細にはマウントアングル５を筐体１の外側方向に引き寄せて固定するものである。このような構造によっても、ツールレスで容易にマウントアングル５の取付け、取外し作業を行うことができ、作業性が高いものとなる。
【００２８】
また、引き寄せ部材１６がマウントアングル５の内側に配置されないものとなるため、筐体１内に配線されるケーブル等と干渉することがなく、また扉２４を開いた際には、マウントアングル５により引き寄せ部材１６が被覆されているため景観が良く、また不用意に引き寄せ部材１６を操作される危険性がないものとなる。
【００２９】
以上の実施形態１及び２においては、マウントアングル５に形成した引っ掛け部２０に引き寄せ部材１６の上端を引っ掛けて引き寄せるものとしているが、その他の実施形態として図１１に示すように、引き寄せ部材１６の上端をフック状に形成した上で、その上端をマントアングル５の側面に孔状に形成した引っ掛け部２２に引っ掛ける構造としても差し支えない。これにより、引っ掛け部２０を別部材として設ける必要がなくなり、低コストとなる。
【００３０】
さらに、図１２及び図１３に示すように、隣接する第２挿入孔８間に複数種類の取付位置表示部２１を設けることもできる。この場合、上側の取付金具６と下側の取付金具６とがそれぞれ対応する位置に、同一種類の取付位置表示部２１を配置するものして、マウントアングル５の取付位置がずれることを防止できるものとしている。なお、取付位置表示部２１は、略コ字状に形成されたマウントアングル５の三面に囲われた位置に表示される構造とすることで、マウントアングル５の取付時に取付位置表示部２１の視認性が高いものとなる。
【符号の説明】
【００３１】
１  筐体
２  縦フレーム
３  横フレーム
４  奥行フレーム
５  マウントアングル
６  取付金具
６ａ  係止片
７  第１挿入孔
８  第２挿入孔
９  溝部
１０  第１位置規制片
１１  第２位置規制片
１２  補強片
１５  爪係止孔
１６  引き寄せ部材
１７  ベース部
１８  爪部
１９  バネ
２０  引っ掛け部
２１  取付位置表示部
２２  引っ掛け部
２３  天井板
２４  扉
２５  側板
２６  背面板
２７  連通部
２８  立上片
【図１】
0006732362.tif 000002
【図２】
0006732362.tif 000003
【図３】
0006732362.tif 000004
【図４】
0006732362.tif 000005
【図５】
0006732362.tif 000006
【図６】
0006732362.tif 000007
【図７】
0006732362.tif 000008
【図８】
0006732362.tif 000009
【図９】
0006732362.tif 000010
【図１０】
0006732362.tif 000011
【図１１】
0006732362.tif 000012
【図１２】
0006732362.tif 000013
【図１３】
0006732362.tif 000014